(57)【要約】【課題】  ヤスリの不必要な逆回転を規制することによりヤスリの損傷を防止し、又、残り僅かになった発火石の飛び出しを防止し、又、非使用時における不用意な着火を防止し、又、非使用時における防水機能を向上させ、それらによって、着火部の構成の信頼性の向上を図ることが可能なライタを提供すること。【解決手段】  ライタ本体と、上記ライタ本体に回動可能に取り付けられた開閉蓋体と、上記開閉蓋体の回動中心に対して同軸に配置されたヤスリと、上記ヤスリの下方に設置された発火石と、上記開閉蓋体を開放させる方向に回動させるときには上記ヤスリを同時に同方向に正回転させて上記発火石を擦るようにし、上記開閉蓋体を閉じる方向に回動させるときには上記ヤスリの同方向への逆回転を規制するヤスリ逆回転規制手段と、を具備したものである。  【選択図】  図３
2006132786.tif 000002
【特許請求の範囲】
【請求項１】
ライタ本体と、
上記ライタ本体に回動可能に取り付けられた開閉蓋体と、
上記開閉蓋体の回動中心に対して同軸に配置されたヤスリと、
上記ヤスリの下方に設置された発火石と、 
上記開閉蓋体を開放させる方向に回動動作させるときには上記ヤスリを同方向に同時に正回転させて上記発火石を擦るようにし、上記開閉蓋体を閉じる方向に回動動作させるときには上記ヤスリの同方向への逆回転を規制するヤスリ逆回転規制手段と、
を具備したことを特徴とするライタ。
【請求項２】
請求項１記載のライタにおいて、
上記ヤスリ逆回転規制手段は、上記開閉蓋体側と上記ヤスリとの間に設置されたコイルスプリングであり、開閉蓋体を開放させる方向に回動動作させるときには拡径されてヤスリに押し付けられ、それによって、開閉蓋体の回動動作に伴ってヤスリを同方向に同時に正回転させ、一方、開閉蓋体を閉じる方向に回動動作させるときには縮径されて上記ヤスリに対する押圧が解除され、それによって、ヤスリの逆回転を規制するように作用することを特徴とするライタ。
【請求項３】
ライタ本体と、
上記ライタ本体に回動可能に取り付けられた開閉蓋体と、
上記開閉蓋体の回動中心に対して同軸に配置されたヤスリと、
上記ヤスリの下方に設置された発火石と、
上記発火石を上記ヤスリ方向に付勢する発火石付勢手段と、
を具備し、
上記発火石付勢手段は上記発火石を上記ヤスリ方向に付勢するコイルスプリングを備えていて、該コイルスプリングはその内側に配置された軸部材によって伸張量を所定量に規制されていることを特徴とするライタ。
【請求項４】
ライタ本体と、
上記ライタ本体に回動可能に取り付けられた開閉蓋体と、
上記開閉蓋体の回動中心に対して同軸に配置されたヤスリと、
上記ヤスリの下方に設置された発火石と、
上記ヤスリの外側に移動可能に取り付けられ使用時には一方向に移動してヤスリを開放すると共に上記開閉蓋体の回動動作を許容し、非使用時には他方向に移動せられて上記ヤスリを覆うと共に上記開閉蓋体の回動動作を規制するヤスリカバと、
を具備したことを特徴とするライタ。
【請求項５】
燃料を収容すると共に該燃料を火口部に導く機構を備えたライタ本体と、
上記ライタ本体に回動可能に取り付けられ上記火口部を選択的に開閉する開閉蓋体と、
上記開閉蓋体の回動中心に対して同軸に配置されたヤスリと、
上記ヤスリ及びその周囲を選択的に覆うヤスリカバと、
上記ヤスリの下方に設置された発火石と、
上記開閉蓋体を閉じることにより圧接されて火口部をシールする火口部シール手段と、
上記ヤスリカバによってヤスリ及びその近傍を覆ったときに圧接されてヤスリ及び上記発火石の部分をシールするヤスリ・発火石シール手段と、
を具備したことを特徴とするライタ。
【発明の詳細な説明】
【技術分野】
【０００１】
本発明は、オイルライタ等のライタに係り、特に、ヤスリの不必要な損傷を効果的に防止することができ、又、発火石の押付量に制限を設けて残り僅かになった発火石の飛び出しを防止し、又、非使用時における不用意な着火を防止して安全性を向上させることができるように工夫したものに関する。
【背景技術】
【０００２】
従来のオイルライタは概略次のような構成になっている。まず、ライタ本体に燃料室が形成されていて、該燃料室内に燃料としてのオイルが収容されている。この燃料室内のオイルは燃料吸上芯を介して吸い上げられている。一方、上記ライタ本体には着火部が併設されている。すなわち、上記ライタ本体の上端には開閉蓋体が回動可能に取り付けられていて、この開閉蓋体の回動中心部にはヤスリが同軸状に取り付けられている。又、上記ヤスリの下方には発火石が設置されている。該発火石は発火石付勢手段によって上記ヤスリ方向に付勢されている。
【０００３】
上記構成によると、開閉蓋体を開放させる方向に回動動作させることにより、ヤスリが回転して発火石を擦る。それによって火花が発生する。一方、開閉蓋体の開放によって吸上芯を介してオイルが気化・噴出され、そこに上記火花が引火して着火することになる。
【０００４】
尚、本願発明と直接関係するものではないが、この種のオイルライタ、或いはガスライタの構成を開示するものとして、特許文献１、特許文献２等がある。
【０００５】
【特許文献１】特開２００３−２７９０４０号
【特許文献２】特開２００３−４２４４９号
【発明の開示】
【発明が解決しようとする課題】
【０００６】
上記従来の構成によると次のような問題があった。
まず、ヤスリが不必要な回転動作を行なって破損してしまうという問題があった。具体的に説明すると、既に説明したように、着火させる場合には、開閉蓋体を開放させる方向に回動動作させ、それによって、ヤスリが一方向に同時に正回転して発火石を擦る。又、消火する場合には、開閉蓋体を逆方向に回動動作させる。その際、ヤスリは同方向に回転する必要はないが、摩擦によって同方向に逆回転してしまう。その際、ヤスリの先端部が発火石に擦れて損傷してしまうものである。
又、別の問題として、ごく僅かになった発火石が飛び出してしまうという問題があった。すなわち、発火石は発火石付勢手段によってヤスリ方向に付勢されているが、その付勢量には制限はなくコイルスプリングの弾性復帰力が残っている範囲で付勢し続ける。その結果、残り僅かになった発火石が飛び出してしまうものである。
又、別の問題として、非使用時における不用意な着火という問題があった。従来のオイルライタにあっては、非使用時において開閉蓋体の回動動作をロックする構成にはなっていない。よって、幼児等が遊んで不用意に着火してしまうような心配があった。
又、さらに別の問題として、防水の問題があった。この種のオイルライタは、いわゆるアウトドアにて使用されるケースが多く、その際、水に触れたり水が侵入するようなケースも想定される。ところが、従来のオイルライタは、非使用時において防水構造にはなっておらず、そのため、発火石や火口部濡れてしまって確実な発火機能が損なわれてしまうという問題があった。
【０００７】
本発明はこのような点に基づいてなされたものでその目的とするところは、ヤスリの不必要な逆回転を規制することによりヤスリの損傷を防止し、又、残り僅かになった発火石の飛び出しを防止し、又、非使用時における不用意な着火を防止し、又、非使用時における防水機能を向上させ、それらによって、着火部の構成の信頼性の向上を図ることが可能なライタを提供することにある。
【課題を解決するための手段】
【０００８】
上記課題を解決するべく本願発明の請求項1によるライタは、ライタ本体と、  上記ライタ本体に回動可能に取り付けられた開閉蓋体と、上記開閉蓋体の回動中心に対して同軸に配置されたヤスリと、上記ヤスリの下方に設置された発火石と、上記開閉蓋体を開放させる方向に回動動作させるときには上記ヤスリを同方向に同時に正回転させて上記発火石を擦るようにし、上記開閉蓋体を閉じる方向に回動動作させるときには上記ヤスリの同方向への逆回転を規制するヤスリ逆回転規制手段と、を具備したことを特徴とするものである。
又、請求項２によるライタは、請求項１記載のライタにおいて、上記ヤスリ逆回転規制手段は、上記開閉蓋体側と上記ヤスリとの間に設置されたコイルスプリングであり、開閉蓋体を開放させる方向に回動動作させるときには拡径されてヤスリに押し付けられ、それによって、開閉蓋体の回動動作に伴ってヤスリを同方向に同時に正回転させ、一方、開閉蓋体を閉じる方向に回動動作させるときには縮径されて上記ヤスリに対する押圧が解除され、それによって、ヤスリの逆回転を規制するように作用することを特徴とするものである。
又、請求項３によるライタは、ライタ本体と、上記ライタ本体に回動可能に取り付けられた開閉蓋体と、上記開閉蓋体の回動中心に対して同軸に配置されたヤスリと、上記ヤスリの下方に設置された発火石と、上記発火石を上記ヤスリ方向に付勢する発火石付勢手段と、を具備し、上記発火石付勢手段は上記発火石を上記ヤスリ方向に付勢するコイルスプリングを備えていて、該コイルスプリングはその内側に配置された軸部材によって伸張量を所定量に規制されていることを特徴とするものである。
又、請求項４によるライタは、ライタ本体と、上記ライタ本体に回動可能に取り付けられた開閉蓋体と、上記開閉蓋体の回動中心に対して同軸に配置されたヤスリと、上記ヤスリの下方に設置された発火石と、上記ヤスリの外側に移動可能に取り付けられ使用時には一方向に移動してヤスリを開放すると共に上記開閉蓋体の回動動作を許容し、非使用時には他方向に移動せられて上記ヤスリを覆うと共に上記開閉蓋体の回動動作を規制するヤスリカバと、を具備したことを特徴とするものである。
又、請求項５によるライタは、燃料を収容すると共に該燃料を火口部に導く機構を備えたライタ本体と、上記ライタ本体に回動可能に取り付けられ上記火口部を選択的に開閉する開閉蓋体と、上記開閉蓋体の回動中心に対して同軸に配置されたヤスリと、上記ヤスリ及びその周囲を選択的に覆うヤスリカバと、  上記ヤスリの下方に設置された発火石と、上記開閉蓋体を閉じることにより圧接されて火口部をシールする火口部シール手段と、上記ヤスリカバによってヤスリ及びその近傍を覆ったときに圧接されてヤスリ及び上記発火石の部分をシールするヤスリ・発火石シール手段と、を具備したことを特徴とするものである。
【発明の効果】
【０００９】
以上詳述したように本発明によるライタによると、ライタ本体と、上記ライタ本体に回動可能に取り付けられた開閉蓋体と、上記開閉蓋体の回動中心に対して同軸に配置されたヤスリと、上記ヤスリの下方に設置された発火石と、上記開閉蓋体を開放させる方向に回動動作させるときには上記ヤスリを同方向に同時に正回転させて上記発火石を擦るようにし、上記開閉蓋体を閉じる方向に回動動作させるときには上記ヤスリの同方向への逆回転を規制するヤスリ逆回転規制手段と、を具備した構成になっているので、ヤスリの不必要な逆回転を規制することができ、それによって、ヤスリの損傷を防止して長寿命化を図ることができる。
又、ライタ本体と、上記ライタ本体に回動可能に取り付けられた開閉蓋体と、上記開閉蓋体の回動中心に対して同軸に配置されたヤスリと、上記ヤスリの下方に設置された発火石と、上記発火石を上記ヤスリ方向に付勢する発火石付勢手段と、を具備し、上記発火石付勢手段は上記発火石を上記ヤスリ方向に付勢するコイルスプリングを備えていて、該コイルスプリングはその内側に配置された軸部材によって伸張量を所定量に規制されているので、発火石が残り僅かになったような場合でもそれが飛び出てしまうようなことを防止することができる。
又、ライタ本体と、上記ライタ本体に回動可能に取り付けられた開閉蓋体と、上記開閉蓋体の回動中心に対して同軸に配置されたヤスリと、上記ヤスリの下方に設置された発火石と、上記ヤスリの外側に移動可能に取り付けられ使用時には一方向に移動してヤスリを開放すると共に上記開閉蓋体の回動動作を許容し、非使用時には他方向に移動せられて上記ヤスリを覆うと共に上記開閉蓋体の回動動作を規制するヤスリカバと、を具備した構成になっているので、非使用時における不用意な着火を防止して安全性の向上を図ることができる。
又、燃料を収容すると共に該燃料を火口部に導く機構を備えたライタ本体と、上記ライタ本体に回動可能に取り付けられ上記火口部を選択的に開閉する開閉蓋体と、上記開閉蓋体の回動中心に対して同軸に配置されたヤスリと、上記ヤスリ及びその周囲を選択的に覆うヤスリカバと、上記ヤスリの下方に設置された発火石と、上記開閉蓋体を閉じることにより圧接されて火口部をシールする火口部シール手段と、上記ヤスリカバによってヤスリ及びその近傍を覆ったときに圧接されてヤスリ及び上記発火石の部分をシールするヤスリ・発火石シール手段と、を具備した構成になっているので、完全防水機能を備えたライタを提供することができる。
【発明を実施するための最良の形態】
【００１０】
以下、図１乃至図９を参照して本発明の一実施の形態を説明する。まず、ライタ本体１があり、このライタ本体１は略中空円筒状をなしている。上記ライタ本体１の側部（図１、図２、図３中に右側）には別の中空円筒部３が併設されている。上記ライタ本体１の上端は上端開口部５となっていて、この上端開口部５は開閉蓋体７によって適宜開閉されるようになっている。上記ライタ本体１の上部には複数個の空気穴９が形成されている。
【００１１】
上記ライタ本体１内であるが、図３に示すように、まず、主燃料室１１が形成されていて、この主燃料室１１内には燃料としてのオイル１３が収容されている。上記主燃料室１１の下端には下端蓋体１５が着脱可能に取り付けられている。燃料としてのオイル１３を主燃料室１１内に注入する場合には、上記下端蓋体１５を取り外して行なうものである。
【００１２】
上記主燃料室１１の上方には仕切壁体１７が設けられている。上記仕切壁体１７は上記ライタ本体１の内周壁に固着されており、又、中空円筒部１９と円板部２１とを備えている。上記仕切壁体１７の円板部２１を貫通するように吸上芯カバ２３が設置されている。この吸上芯カバ２３内には吸上芯２５が挿通・配置されている。この吸上芯２５を介して主燃料室１１内のオイル１３を上方に吸い上げるものである。
【００１３】
上記吸上芯カバ２３と上記仕切壁体１７の中空円筒部１９との間には端栓２７が取り付けられている。そして、上記仕切壁体１７の円板部２１と中空円筒部１９と端栓２７とによって囲まれた空間が副燃料室２９となっている。上記副燃料室２９内の上記吸上芯カバ２３にはストッパ部材３１が取り付けられている。このストッパ部材３１と上記円板部２１との間にはコイルスプリング３５が設置されている。吸上芯２５と吸上芯カバ２３はこのコイルスプリング３５によって常時図３中上方向に付勢されている。
尚、図中実線で示すのが収縮時の状態であり、仮想線で示すのが伸張時の状態である。
【００１４】
上記吸上芯カバ２３には、図７に示すように、スリット４１が周方向等間隔で３箇所に形成されている。又、上記スリット４１は上端部に形成されている。又、別の１個のスリット４３が形成されている。上記３個のスリット４１からは吸上芯２５を介して吸い上げられたオイルが気化・噴射されるものである。その際、スリット４１は周方向等間隔で３箇所に設置されているので、燃料の噴射もバランス良く行われ、その結果、火炎のバランスも良好なものとなる。又、上記スリット４３であるが、これは、副燃料室２９と主燃料室１１内を連通するためのものであり、それによって、使用時における副燃料室２９内の気圧の低下を防止するものである。
尚、図３に示すように、スリット４３は上部では比較的大きく形成されていて下部では小さく形成されている。        
【００１５】
既に説明した開閉蓋体７には火口キャップ４５が取り付けられていると共に、ストッパ４７が取り付けられている。上記火口キャップ４５によって上記吸上芯カバ２３と吸上芯２５の上端を覆うものである。すなわち、開閉蓋体７を閉じた状態では、図３に示すように、火口キャップ４５によって、コイルスプリング３５のスプリング力に抗して吸上芯２５と吸上芯カバ２３を下方に押し込む。これによって、消火を完全なものとするものである。これに対して、開閉蓋体７を開放した場合には、吸上芯２５と吸上芯カバ２３は、コイルスプリング３５のスプリング力によって上方に飛び出すものである。又、上記ストッパ４７は、既に説明した空気穴９の一つに係合し、それによって、開閉蓋体７の不用意な開放を規制するようにしている。
【００１６】
次に、前述した中空円筒部材３側の構成を説明する。まず、上記開閉蓋体７であるが、図５に示すように、中空軸部材５１を中心にして回動自在に取り付けられている。すなわち、上記開閉蓋体７側には一対の耳部材５３、５３が突出・配置されている。これら一対の耳部材５３、５３間には上記中空軸部材５１が挿入・配置されている。上記中空軸部材５１の外周側にはコイルスプリング５４が設置されていて、さらにその外周側にはヤスリ５５が設置されている。又、図６に示すように、上記中空軸部材５１の内周側にはスリーブ５２が内装されている。  
【００１７】
又、中空円筒部材３の上端には、図６に示すように、一対の挟持部材６１、６１が突出・配置されている。これら一対の挟持部材６１、６１の間に、上記一対の耳部材５３、５３が差し込まれている。そして、両側から軸部材６３、６３がスリーブ５２内に圧入・固定されているものである。そして、開閉蓋体７は上記スリーブ５２を中心にして回動することになる。
【００１８】
又、既に説明したコイルスプリング５４であるが、その一端は中空軸部材５１側に係止されている。又、コイルスプリング５４の他端は自由端となっている。そして、開閉蓋体７が開放される方向に回動動作する場合には、コイルスプリング５４はそのスプリング力に抗して拡径する。それによって、外周側のヤスリ５５に強く押し付けられる。よって、開閉蓋体７の回動動作に伴ってヤスリ５５も同方向に回転することになる。これに対して、開閉蓋体７が閉じる方向に回動動作する場合には、コイルスプリング５４がそのスプリング力も作用して縮径する。よって、外側のヤスリ５５に対する押圧は解除される。したがって、開閉蓋体７の回動動作に伴ってヤスリ５５が逆回転することはない。
【００１９】
上記ヤスリ５５の下方位置の中空円筒部材３内には、発火石７１が収容・配置されている。この発火石７１は発火石付勢手段７３によって下方から押し付けられている。この発火石付勢手段７３は、軸部材７５と、この軸部材７５の基端に取り付けられた押さえ部材７９と、軸部材７５の先端に取り付けられた端部材７６と、上記軸部材７５の外周側であって上記押さえ部材７９と端部材７６との間に設置された押さえコイルスプリング７７とから構成されている。この発火石付勢手段７３によって発火石７１を上方に押し付けるようにしている。上記軸部材７５は押さえコイルスプリング７７の伸張量を一定量に規制するためのものであり、それによって、発火石７１が残り僅かになった場合においても、それが押さえコイルスプリング７７のスプリング力によって飛び出すことがないように構成しているものである。
【００２０】
上記中空円筒部材３の上端部外周にはヤスリカバ９１が上下方向に移動可能に取り付けられている。このヤスリカバ９１の下端部内周面には雌ねじ部９３が設けられている。一方、中空円筒部材３の上端部外周面には雄ねじ部９５が設けられている。そして、ヤスリ５５をカバーする場合には、上記ヤスリカバ９１を上方にスライドさせ、上記雌ねじ部９３雄ねじ部９５を螺合させればよい。
因みに、ヤスリカバ９１によってカバーした状態を示すのが図１であり、ヤスリ５５を開放した状態を示すのが図２である。
【００２１】
次に、防水のための構成について説明する。本実施の形態によるオイルライタは完全防水構造になっている。まず、図３に示すように、開閉蓋体７側にはシールリング１０１が取り付けられている。又、中空円筒部材３の上端にもシールリング１０３が取り付けられている。よって、ヤスリカバ９１を図１に示すように上方に引き上げて螺合・固定すれば、ヤスリ５５と発火石７１の部分は完全に防水された液密状態となる。又、押さえ部材７９と中空円筒部材３との間にもシール部材１０４が取り付けられている。
【００２２】
次に、端栓２７の上端外周部にはシールリング１０５が取り付けられている。このシールリング１０５と火口キャップ４５とによってシール機能を発揮する。又、ライタ本体１と下端蓋体１５との間には、シールリング１０７、１０９、１１１が設置されている。既に説明したシールリング１０５とこれらのシールリング１０７、１０９、１１１によって、ライタ本体側も完全に防水構造になっている。
【００２３】
以上の構成を基にその作用を説明する。
まず、非使用時には図１に示すような状態にある。すなわち、ヤスリカバ９１が上方に引き上げられていて、ヤスリ５５をカバーすると共に開閉蓋体７の回動動作を規制した状態になっている。又、ヤスリカバ９１に設けられた雌ねじ部９３が中空円筒部３側に設けられた雄ねじ部９５に螺合しているので、ヤスリカバ９１が不用意に下方に落下することはない。よって、例えば、幼児等が手にして遊んでも、不用意に着火してしまうような事故の発生を確実に防止することができる。
【００２４】
次に、使用する場合について説明する。この場合には、まず、図２に示すように、ヤスリカバ９１を下方に下げてヤスリ５５を開放する。すなわち、ヤスリカバ９１を図１に示す状態において左方向に回転させていく。それによって、ヤスリカバ９１に設けられた雌ねじ部９３と中空円筒部３側に設けられた雄ねじ部９５の螺合が解除される。後は、ヤスリカバ９１を下方に引き下げればよい。これで、開閉蓋体７の回動が可能な状態になる。
【００２５】
使用する場合には、右手の又は左手でオイルライタの全体を握り、親指で開閉蓋体７を回動させる。それによって、まず、吸上芯カバ２３と吸上芯２５の上端が開放される。同時に、ヤスリ５５が図９中矢印ａで示す方向に回転して着火石７１を擦る。それによって、火花が発生し、その火花が吸上芯２５の上端より気化・噴射される燃料に引火して着火する。
【００２６】
又、使用を中止する場合には親指で開閉蓋体７を回動させて閉じればよい。それによって、吸上芯カバ２３と吸上芯２５がコイルスプリング３５のスプリング力によって下方に引き下げられる。且つ、火口キャップによって覆われることにより、完全に消火されることになる。
又、その際、ヤスリ５５が開閉蓋体の閉じる方向への回動動作によって逆転（図５中矢印ａで示す方向と反対の方向）に逆転することはない。これはコイルスプリング５４のヤスリ５５に対する圧接が解除されるからである。
【００２７】
以上本実施の形態によると次のような効果を奏することができる。
まず、ヤスリ５５が不必要に逆回転して損傷してしまうことを防止することができる。これは、コイルスプリング５４の作用によるものである。すなわち、開閉蓋体７を開放する方向に回動動作させる場合には、コイルスプリング５４が拡径されてヤスリ５５に押圧される。よって、ヤスリ５５も開閉蓋体７の回動動作に伴って同時に正回転することになる。そして、発火石７１を擦って火花を発生させるものである。これに対して、開閉蓋体７を閉じる場合には、コイルスプリング５４が縮径されヤスリ５５に対する押圧が解除される。よって、開閉蓋体７が閉じる方向に回動動作してもヤスリ５５が同時に逆回転することはない。それによって、上記したように、ヤスリ５５の不必要な逆回転をなくしてその損傷を防止することができるものである。
次に、この実施の形態の場合には、主燃料室１１の上方に副燃料室２９を設けている。例えば、従来のように、主燃料室１１のみの場合には、外部温度の変化（例えば、操作する使用者の手の温度）によって、主燃料室１１内の燃料気圧が高くなり、その結果、着火時に多くの燃料が一度に吹き出てしまい、一時的に火炎が大きくなってしまうという問題があった。これに対して、本実施の形態の場合のように、副燃料室２９を設けた場合には、それによって減圧効果が発揮され、着火初期時における多量燃料の噴出それによる大火炎化を防止することができるものである。
次に、この実施の形態の場合には、吸上芯２５と吸上芯カバ２３が、非使用時に、下方に押し込められる構成になっていると共に、その上から火口キャップ４５が覆うような構成になっている。よって、確実に消火されることになり、従来のように、開閉蓋体７を閉めたにもかかわらず確実に消火されないといった事態の発生を確実に防止することができる。
又、吸上芯カバ２３は周方向等間隔に３個のスリット４１を備えた構成になっているので、燃料の噴出のバランスが良く、バランスのとれた火炎を提供することができる。
又、吸上芯カバ２３にはスリット４３が形成されていて、主燃料室１１と副燃料室２９が連通されているので、燃料消費時、すなわち使用時における副燃料室２９内の気圧の低下を抑制することができ、それによって、火炎の安定保持が可能になるものである。
又、ヤスリカバ９１を設けていて、非使用時には該ヤスリカバ９１を上昇させてヤスリ５５をカバーすると共に、開閉蓋体７の開放を規制するように構成されているので、例えば、幼児等が遊んでいて不用意に着火させてしまうといった事態の発生を防止することができる。
又、本実施の形態によるオイルライタは、シール部材１０１、１０３、１０４、１０５、１０７、１０９、１１１によって完全防水の構造になっているので、水の侵入によってその機能が損なわれるようなことはない。
【００２８】
尚、本発明は前記一実施の形態に限定されるものではない。
前記一実施の形態の場合には、オイルライタを例に挙げて説明したが、ガスライタであっても同様に適用可能である。
又、ヤスリ逆転規制手段の構成としては、コイルスプリング以外にも様々な構成が考えられる。
その他、図示した構成はあくまで一例である。
【産業上の利用可能性】
【００２９】
本発明は、ライタに係り、特に、ヤスリの不必要な損傷を効果的に防止することができ、又、発火石の押付量に制限を設けて残り僅かになった発火石の飛び出しを防止し、又、非使用時における不用意な着火を防止して安全性を向上させることができるように工夫したものに関し、例えば、オイルライターに好適である。
【図面の簡単な説明】
【００３０】
【図１】本発明の一実施の形態を示す図で、オイルライタの全体の外観を示す正面図である。
【図２】本発明の一実施の形態を示す図で、ヤスリカバを開放した状態のオイルライタの全体の外観を示す正面図である。
【図３】本発明の一実施の形態を示す図で、内部の構成を示すオイルライタの断面図である。
【図４】本発明の一実施の形態を示す図で、ヤスリおよびその近傍の構成を抽出して示す正面図である。
【図５】本発明の一実施の形態を示す図で、図４のＶ−Ｖ断面図である。
【図６】本発明の一実施の形態を示す図で、ヤスリおよびその近傍の構成を示す断面図である。
【図７】本発明の一実施の形態を示す図で、吸上芯カバの断面図である。
【図８】本発明の一実施の形態を示す図で、吸上芯カバの断面図である。
【図９】本発明の一実施の形態を示す図で、発火石及びその近傍の構成を示す断面図である。
【符号の説明】
【００３１】
１  ライタ本体
３  中空円筒部
５  上端開口部
７  開閉蓋体
１１  主燃料室
１３  オイル
２３  吸上芯カバ  
２５  吸上芯
２９  副燃料室
３５  コイルスプリング
４１  スリット
４３  スリット
５１  中空軸部材
５４  コイルスプリング
５５  ヤスリ
７１  発火石
７３  発火石付勢手段
７５  軸部材
９１  ヤスリカバ
【図１】
2006132786.tif 000003
【図２】
2006132786.tif 000004
【図３】
2006132786.tif 000005
【図４】
2006132786.tif 000006
【図５】
2006132786.tif 000007
【図６】
2006132786.tif 000008
【図７】
2006132786.tif 000009
【図８】
2006132786.tif 000010
【図９】
2006132786.tif 000011